(57)【特許請求の範囲】
【請求項１】
入力側におけるＳＷＲ値を検出するＳＷＲ値検出回路と、
このＳＷＲ値検出回路より後段に設けられ、前記ＳＷＲ値が最小になるように制御される整合回路と、
前記ＳＷＲ値検出回路と並列に設けられた第１のスルー回路と、
前記ＳＷＲ値検出回路と第１のスルー回路とを切り換える第１の切換回路と、
前記整合回路と並列に設けられた第２のスルー回路と、
前記整合回路と第２のスルー回路とを切り換える第２の切換回路と、各部を制御する制御部とを具備しており、送信機とアンテナ系との間に挿入接続されるオートアンテナチューナーにおいて、
整合動作の開始時点において、制御部は、前記第１の切換回路がＳＷＲ値検出回路を、前記第２の切換回路が第２のスルー回路をそれぞれ選択した状態でＳＷＲ値検出回路でＳＷＲ値を検出させ、
前記検出されたＳＷＲ値が、予め設定されたＳＷＲ基準値を超えていた場合、整合動作成功後の送信機の送信出力上限値を最大出力より低い予め設定された出力上限値に変更することを特徴とするオートアンテナチューナー。
【請求項２】
入力側におけるＳＷＲ値を検出するＳＷＲ値検出回路と、このＳＷＲ値検出回路より後段に設けられ、前記ＳＷＲ値が最小になるように制御される整合回路と、前記ＳＷＲ値検出回路と並列に設けられた第１のスルー回路と、前記ＳＷＲ値検出回路と第１のスルー回路とを切り換える第１の切換回路と、前記整合回路と並列に設けられた第２のスルー回路と、前記整合回路と第２のスルー回路とを切り換える第２の切換回路と、各部を制御する制御部とを具備しており、送信機とアンテナ系との間に挿入接続されるオートアンテナチューナーの制御方法において、
整合動作の開始時点において、制御部は、前記第１の切換回路がＳＷＲ値検出回路を、前記第２の切換回路が第２のスルー回路をそれぞれ選択した状態でＳＷＲ値を検出させ、  前記検出されたＳＷＲ値が、予め設定されたＳＷＲ基準値を超えていた場合、整合動作成功後の送信機の送信出力上限値を最大出力より低い予め設定された出力上限値に変更することを特徴とするオートアンテナチューナーの制御方法。
【請求項３】
入力側におけるＳＷＲ値を検出するＳＷＲ値検出回路と、このＳＷＲ値検出回路より後段に設けられ、前記ＳＷＲ値が最小になるように制御される整合回路と、前記ＳＷＲ値検出回路と並列に設けられた第１のスルー回路と、前記ＳＷＲ値検出回路と第１のスルー回路とを切り換える第１の切換回路と、前記整合回路と並列に設けられた第２のスルー回路と、前記整合回路と第２のスルー回路とを切り換える第２の切換回路と、各部を制御する制御部とを具備しており、送信機とアンテナ系との間に挿入接続されるオートアンテナチューナーにおいて、
制御部は、前記第１の切換回路がＳＷＲ値検出回路を、前記第２の切換回路が第２のスルー回路をそれぞれ選択した状態でＳＷＲ値検出回路でＳＷＲ値を検出させ、
検出されたＳＷＲ値が予め設定された第２のＳＷＲ基準値以下であった場合、
前記制御部は、前記第１の切換回路にはＳＷＲ値検出回路をそのまま維持させるとともに、前記第２の切換回路には整合回路を選択し、送信機に対して送信機の送信出力を最大出力より低い予め設定された第１の出力値まで低減させる第１の送信出力制限信号を送出した後に整合動作を行い、
この整合動作が成功した場合には、第１の切換回路には第１のスルー回路に切り換えさせ、第２の切換回路にはそのまま整合回路を維持させるとともに、送信機に対して送信機の送信出力上限値を最大出力とする最大出力信号を送出し、
前記整合動作が失敗した場合には、第１の切換回路には第１のスルー回路に切り換えさせ、第２の切換回路には第２のスルー回路に切り換えさせるとともに、送信機に対して前記最大出力信号を送出し、
検出されたＳＷＲ値が前記第２のＳＷＲ基準値を超え、かつ前記第２のＳＷＲ基準値より高い予め設定された第１のＳＷＲ基準値以下であった場合、
前記制御部は、前記第１の切換回路にはＳＷＲ値検出回路をそのまま維持させるとともに、前記第２の切換回路には整合回路を選択し、送信機に対して送信機の送信出力を最大出力より低い予め設定された第１の出力値まで低減させる第１の送信出力制限信号を送出した後に整合動作を行い、
この整合動作が成功した場合には整合状態をセットするとともに、第１の切換回路には第１のスルー回路に切り換えさせ、第２の切換回路にはそのまま整合回路を維持させるとともに、送信機に対して送信機の送信出力上限値を前記第１の出力値よりは高くかつ最大出力よりは低い第２の出力値とする第２の出力制限信号を送出し、
この整合動作が失敗した場合には、第１の切換回路には第１のスルー回路に切り換えさせ、第２の切換回路には第２のスルー回路に切り換えさせるとともに、送信機には前記最大出力信号を送出し、
検出されたＳＷＲ値が前記第２のＳＷＲ基準値を超え、かつ前記第１のＳＷＲ基準値をも超えた場合、前記制御部は、第１の切換回路には第１のスルー回路に切り換えさせ、第２の切換回路には第２のスルー回路に切り換えさせるとともに、送信機には前記最大出力信号を送出することを特徴とするオートアンテナチューナー。
【請求項４】
入力側におけるＳＷＲ値を検出するＳＷＲ値検出回路と、このＳＷＲ値検出回路より後段に設けられ、前記ＳＷＲ値が最小になるように制御される整合回路と、前記ＳＷＲ値検出回路と並列に設けられた第１のスルー回路と、前記ＳＷＲ値検出回路と第１のスルー回路とを切り換える第１の切換回路と、前記整合回路と並列に設けられた第２のスルー回路と、前記整合回路と第２のスルー回路とを切り換える第２の切換回路と、各部を制御する制御部とを具備しており、送信機とアンテナ系との間に挿入接続されるオートアンテナチューナーの制御方法において、
制御部は、前記第１の切換回路がＳＷＲ値検出回路を、前記第２の切換回路が第２のスルー回路をそれぞれ選択した状態でＳＷＲ値検出回路でＳＷＲ値を検出させ、
検出されたＳＷＲ値が予め設定された第２のＳＷＲ基準値以下であった場合、
前記制御部は、前記第１の切換回路にはＳＷＲ値検出回路をそのまま維持させるとともに、前記第２の切換回路には整合回路を選択し、送信機に対して送信機の送信出力を最大出力より低い予め設定された第１の出力値まで低減させる第１の送信出力制限信号を送出した後に整合動作を行い、
この整合動作が成功した場合には、第１の切換回路には第１のスルー回路に切り換えさせ、第２の切換回路にはそのまま整合回路を維持させるとともに、送信機に対して送信機の送信出力上限値を最大出力とする最大出力信号を送出し、
前記整合動作が失敗した場合には、第１の切換回路には第１のスルー回路に切り換えさせ、第２の切換回路には第２のスルー回路に切り換えさせるとともに、送信機に対して前記最大出力信号を送出し、
検出されたＳＷＲ値が前記第２のＳＷＲ基準値を超え、かつ前記第２のＳＷＲ基準値より高い予め設定された第１のＳＷＲ基準値以下であった場合、
前記制御部は、前記第１の切換回路にはＳＷＲ値検出回路をそのまま維持させるとともに、前記第２の切換回路には整合回路を選択し、送信機に対して送信機の送信出力を最大出力より低い予め設定された第１の出力値まで低減させる第１の送信出力制限信号を送出した後に整合動作を行い、
この整合動作が成功した場合には整合状態をセットするとともに、第１の切換回路には第１のスルー回路に切り換えさせ、第２の切換回路にはそのまま整合回路を維持させるとともに、送信機に対して送信機の送信出力上限値を前記第１の出力値よりは高くかつ最大出力よりは低い第２の出力値とする第２の出力制限信号を送出し、
この整合動作が失敗した場合には、第１の切換回路には第１のスルー回路に切り換えさせ、第２の切換回路には第２のスルー回路に切り換えさせるとともに、送信機には前記最大出力信号を送出し、
検出されたＳＷＲ値が前記第２のＳＷＲ基準値を超え、かつ前記第１のＳＷＲ基準値をも超えた場合、前記制御部は、第１の切換回路には第１のスルー回路に切り換えさせ、第２の切換回路には第２のスルー回路に切り換えさせるとともに、送信機には前記最大出力信号を送出することを特徴とするオートアンテナチューナーの制御方法。
【請求項５】
入力側におけるＳＷＲ値を検出するＳＷＲ値検出回路と、
このＳＷＲ値検出回路より後段に設けられ、前記ＳＷＲ値が最小になるように制御される整合回路と、
前記ＳＷＲ値検出回路と並列に設けられた第１のスルー回路と、
前記ＳＷＲ値検出回路と第１のスルー回路とを切り換える第１の切換回路と、
前記整合回路と並列に設けられた第２のスルー回路と、
前記整合回路と第２のスルー回路とを切り換える第２の切換回路と、
各部を制御する制御部と、
整合動作を通常モードと拡張モードとのいずれかを選択することができるモード選択スイッチとを備えたオートアンテナチューナーにおいて、
前記制御部は、前記第１の切換回路がＳＷＲ値検出回路を、前記第２の切換回路が第２のスルー回路をそれぞれ選択した状態でＳＷＲ値検出回路でＳＷＲ値を検出させ、
前記モード選択スイッチの選択に基づいて、整合動作完了後の送信機の送信出力上限値を変更することを特徴とするオートアンテナチューナー。
【請求項６】
前記請求項５記載のオートアンテナチューナーにおいて、
モード選択スイッチによって拡張モードが選択された場合、
制御部は、前記第１の切換回路がＳＷＲ値検出回路を、前記第２の切換回路が第２のスルー回路をそれぞれ選択した状態でＳＷＲ値検出回路でＳＷＲ値を検出させ、
検出されたＳＷＲ値が予め設定された第１のＳＷＲ基準値を超えていた場合、
前記第１の切換回路には第１のスルー回路に切り換えさせ、前記第２の切換回路にはそのまま第２のスルー回路を維持させるとともに、送信機に対して送信機の送信出力上限値を最大出力より低い予め設定された第２の出力値まで低減させる第２の送信出力制限信号を送出し、
検出されたＳＷＲ値が前記第１のＳＷＲ基準値以下であった場合、
前記制御部は、前記第１の切換回路にはそのままＳＷＲ値検出回路を維持させ、前記第２の切換回路には整合回路に切り換えさせるとともに、送信機に対して送信出力を前記第２の出力値より低い第１の出力値とする第１の送信出力制限信号を送出した後に整合動作を行い、
この整合動作が成功した場合には整合状態をセットするとともに、第１の切換回路は第１のスルー回路に切り換えさせ、第２の切換回路はそのまま整合回路を維持させ、
前記整合動作が失敗した場合には第１の切換回路は第１のスルー回路に、第２の切換回路は第２スルー回路にそれぞれ切り換えさせ、いずれの場合にも送信機に対して送信機の送信出力上限値を前記第２の出力値とする第２の出力制限信号を送出することを特徴とするオートアンテナチューナー。
【請求項７】
前記請求項６記載のオートアンテナチューナーにおいて、
前記モード選択スイッチで通常モードが選択された場合、
制御部は、前記第１の切換回路がＳＷＲ値検出回路を、前記第２の切換回路が第２のスルー回路をそれぞれ選択した状態でＳＷＲ値検出回路でＳＷＲ値を検出させ、
検出されたＳＷＲ値が前記第１のＳＷＲ基準値より低い予め設定された第２のＳＷＲ基準値を超えていた場合、第１の切換回路には第１のスルー回路に切り換えさせるとともに、第２の切換回路にはそのまま第２のスルー回路を維持させるとともに、送信機に対して送信出力上限値を最大出力とする最大出力信号を送出し、
検出されたＳＷＲ値が前記第２のＳＷＲ基準値以下であった場合、前記第１の切換回路にはそのままＳＷＲ値検出回路を維持するとともに、前記第２の切換回路を整合回路に切り換え、送信機に対して前記第１の出力制限信号を送出した後に整合動作を行い、
この整合動作が成功した場合には整合状態をセットするとともに、前記第１の切換回路には第１のスルー回路に切り換えさせ、前記第２の切換回路はそのまま整合回路を維持させ、
前記整合動作が失敗した場合には第１の切換回路には第１のスルー回路を、第２の切換回路には第２のスルー回路を切り換えさせ、
いずれの場合にも送信機に対して送信出力上限値を最大出力とする最大出力信号を送出することを特徴とするオートアンテナチューナー。
【請求項８】
入力側におけるＳＷＲ値を検出するＳＷＲ値検出回路と、
このＳＷＲ値検出回路より後段に設けられ、前記ＳＷＲ値が最小になるように制御される整合回路と、
前記ＳＷＲ値検出回路と並列に設けられた第１のスルー回路と、
前記ＳＷＲ値検出回路と第１のスルー回路とを切り換える第１の切換回路と、
前記整合回路と並列に設けられた第２のスルー回路と、
前記整合回路と第２のスルー回路とを切り換える第２の切換回路と、
各部を制御する制御部と、
整合動作を通常モードと拡張モードとのいずれかを選択することができるモード選択スイッチとを備えたオートアンテナチューナーの制御方法において、
前記制御部は、前記第１の切換回路がＳＷＲ値検出回路を、前記第２の切換回路が第２のスルー回路をそれぞれ選択した状態でＳＷＲ値検出回路でＳＷＲ値を検出させ、
前記モード選択スイッチの選択に基づいて、検出されたＳＷＲ値に応じて、整合動作完了後の送信機の送信出力上限値を変更することを特徴とするオートアンテナチューナーの制御方法。
【発明の詳細な説明】
【技術分野】
【０００１】
本発明は、送信機とアンテナ系との間に挿入接続され、自動的にインピーダンスの整合を行うオートアンテナチューナーとその制御方法とに関する。
【背景技術】
【０００２】
アンテナ系の入力インピーダンスは、送信周波数によって変化する。そのため従来より複数の周波数帯を用いる、または周波数の変化が大きい送信機においては、送信機とアンテナ系との間にオートアンテナチューナーを設けている。このオートアンテナチューナーは、送信機に反射波が生じないように、自動的にアンテナ系の入力インピーダンスと送信機の出力インピーダンスとの整合をとるようにしている。
かかるオートアンテナチューナーでは、ＳＷＲ値を検出し、ＳＷＲ値が最小になるように整合回路が制御され、ＳＷＲ値が所定値以下になると整合完了とされる。ここで、ＳＷＲ値としては電圧定常波比（ＶＳＷＲ値）を用いる。
【０００３】
オートアンテナチューナーの整合回路には、自動整合制御によって整合が完了できる実力範囲（送信機の出力インピーダンスに対して、整合が完了できるアンテナ系の入力インピーダンスの範囲）があるため、アンテナ系の入力インピーダンスが送信機の出力インピーダンスと極端にミスマッチの状態では整合が完了できない。このため、整合が完了できない場合には、整合回路を切り離し、スルー回路により送信機をアンテナ系と直結させて、整合回路を保持するようにしたオートアンテナチューナーがある。
【０００４】
例えば、特許第３３９８２１１号公報に記載されたオートアンテナチューナーは『送信機とアンテナ系の間に挿入接続されるオートアンテナチューナーであって、入力側におけるＳＷＲ値を検出するＳＷＲ検出回路と、前記ＳＷＲ値が最小になるように制御される整合回路と、送信機とアンテナ系とを直結するスルー回路と、前記整合回路とスルー回路とを切り換える切り換え回路とを備えたオートアンテナチューナーにおいて、整合動作の開始時点において、切り換え回路をスルー回路側に切り換えた状態で、前記ＳＷＲ検出回路にて検出したＳＷＲ値を所定の設定値と比較し、ＳＷＲ値が前記設定値以下であった場合には、切り換え回路を整合回路側に切り換えて、前記ＳＷＲ値が最小となるように前記整合回路を制御する整合動作を行うように制御し、ＳＷＲ値が前記設定値を越えている場合には、そのまま整合動作を終了するように制御する制御回路を備えたことを特徴とするオートアンテナチューナー。』である。
【０００５】
【特許文献１】特許第３３９８２１１号公報
【発明の開示】
【発明が解決しようとする課題】
【０００６】
しかしながら、特許文献１記載のオートアンテナチューナーであると、整合動作を開始した時点でＳＷＲ値が設定値を超えている場合には、整合動作が禁止されるため、アンテナを交換等しなければ運用ができないという問題点があった。例えば、内蔵アンテナが破損した場合等に外付けアンテナを使用したくてもＳＷＲ値が設定値を超えていれば、運用ができないのである。
また、整合可能な実力範囲ではあるが、ＳＷＲ値が高い状態から整合を行った状態で、高い送信出力で送信すると、整合回路に大きな負荷がかかり、整合回路が破壊される恐れがあった。
【０００７】
本発明は、上記事情に鑑みて創案されたもので、ＳＷＲ値が設定値を超えているアンテナ系であっても使用することができ、しかも整合回路等に大きな負荷がかからないようなオートアンテナチューナーと、オートアンテナチューナーの制御方法とを提供することを目的としている。
【課題を解決するための手段】
【０００８】
本発明に係るオートアンテナチューナーは、入力側におけるＳＷＲ値を検出するＳＷＲ値検出回路と、このＳＷＲ値検出回路より後段に設けられ、前記ＳＷＲ値が最小になるように制御される整合回路と、前記ＳＷＲ値検出回路と並列に設けられた第１のスルー回路と、前記ＳＷＲ値検出回路と第１のスルー回路とを切り換える第１の切換回路と、前記整合回路と並列に設けられた第２のスルー回路と、前記整合回路と第２のスルー回路とを切り換える第２の切換回路と、各部を制御する制御部とを備えており、送信機とアンテナ系との間に挿入接続されるオートアンテナチューナーであって、整合動作の開始時点において、制御部は、前記第１の切換回路がＳＷＲ値検出回路を、前記第２の切換回路が第２のスルー回路をそれぞれ選択した状態でＳＷＲ値検出回路でＳＷＲ値を検出させ、前記検出されたＳＷＲ値が、予め設定されたＳＷＲ基準値を超えていた場合、整合動作成功後の送信機の送信出力上限値を最大出力より低い予め設定された出力上限値に変更するようにしている。
【発明の効果】
【０００９】
本発明に係るオートアンテナチューナーによると、整合動作の前にＳＷＲ値を検出し、検出されたＳＷＲ値によって整合動作完了後の送信機の送信出力を変更するようにしているので、ＳＷＲ値が設定値を超えているアンテナであっても使用することができ、しかも整合回路等に大きな負荷がかからないようなオートアンテナチューナーとすることができる。
【図面の簡単な説明】
【００１０】
【図１】本発明の第１の実施の形態に係るオートアンテナチューナーの構成を示す概略的ブロック図である。
【図２】本発明の第１の実施の形態に係るオートアンテナチューナーの動作を示す概略的フローチャートである。
【図３】本発明の第２の実施の形態に係るオートアンテナチューナーの構成を示す概略的ブロック図である。
【図４】本発明の第２の実施の形態に係るオートアンテナチューナーの動作を示す概略的フローチャートである。
【発明を実施するための形態】
【００１１】
本発明の第１の実施の形態に係るオートアンテナチューナー１０００Ａは、入力側におけるＳＷＲ値を検出するＳＷＲ値検出回路１００Ａと、このＳＷＲ値検出回路１００Ａより後段に設けられ、前記ＳＷＲ値が最小になるように制御される整合回路２００Ａと、前記ＳＷＲ値検出回路１００Ａと並列に設けられた第１のスルー回路３１０Ａと、前記ＳＷＲ値検出回路１００Ａと第１のスルー回路３１０Ａとを切り換える第１の切換回路４１０Ａと、前記整合回路２００Ａと並列に設けられた第２のスルー回路３２０Ａと、前記整合回路２００Ａと第２のスルー回路３２０Ａとを切り換える第２の切換回路４２０Ａと、各部を制御する制御部５００Ａとを備えており、送信機ＴＲとアンテナ系ＡＴとの間に挿入接続されるオートアンテナチューナーである。
整合動作の開始時点において、制御部５００Ａは、前記第１の切換回路４１０ＡがＳＷＲ値検出回路１００Ａを、前記第２の切換回路４２０Ａが第２のスルー回路３２０Ａをそれぞれ選択した状態でＳＷＲ値検出回路１００ＡでＳＷＲ値を検出させ、前記検出されたＳＷＲ値が、予め設定されたＳＷＲ基準値を超えていた場合、整合動作成功後の送信機ＴＲの送信出力上限値を最大出力より低い予め設定された出力上限値に変更するようにしている。
【００１２】
前記ＳＷＲ値検出回路１００Ａは、送信機ＴＲとアンテナ系ＡＴとのインピーダンスマッチング、すなわち定在波比を検出するものである。
【００１３】
このＳＷＲ値検出回路１００Ａには、第１のスルー回路３１０Ａが並列に接続されている。この第１のスルー回路３１０Ａは、後述する第１の切換回路４１０Ａによって前記ＳＷＲ値検出回路１００Ａをスルーして送信機ＴＲと、後述する整合回路２００Ａ又は第２のスルー回路３２０Ａとを直結するようになっている。
【００１４】
前記整合回路２００Ａは、例えば、２つのバリコンとコイルとからＴ型回路が構成されている。前記バリコンはそれぞれ駆動用のモータを備えているとともに、コンデンサ用リレー回路によって直列コンデンサが接続又は短絡されるとともに、３つの並列コンデンサの中から最大で３つが選択されて並列に接続されることによって、キャパシタンスを変化させるようになっている。前記コイルには複数のタップが設けられ、コイル用リレーによってそれらのタップを選択して短絡もしくは接地することによってリアクタンスを変化させるように構成されている。
なお、上述した整合回路２００Ａの構成は一例であって、本発明がこの構成に限定されるものでないのはいうまでもない。
【００１５】
かかる整合回路２００Ａには、第２のスルー回路３２０Ａが並列に接続されている。この第２のスルー回路３２０Ａは、後述する第２の切換回路４２０Ａによって前記整合回路２００Ａをスルーしてアンテナ系ＡＴと前記ＳＷＲ値検出回路１００Ａ又は第１のスルー回路３１０Ａとを直結するようになっている。
【００１６】
前記制御部５００Ａには、図２に示すような制御プログラムが格納されている。また、メモリ６００Ａは、各種の設定値等のデータが格納されている。
【００１７】
前記第１の切換回路４１０Ａは、ＳＷＲ値検出回路１００Ａと第１のスルー回路３１０Ａとの前段に設けられており、送信機ＴＲの接続先をＳＷＲ値検出回路１００Ａとするか、第１のスルー回路３１０Ａとするかを選択するものである。
この第１の切換回路４１０Ａの動作は、前記制御部５００Ａによって制御される。
【００１８】
また、前記第２の切換回路４２０Ａは整合回路２００Ａと第２のスルー回路３２０Ａとの前段、すなわち前記ＳＷＲ値検出回路１００Ａと第１のスルー回路３１０Ａとの後段に設けられており、ＳＷＲ値検出回路１００Ａ又は第１のスルー回路３１０Ａの接続先を整合回路２００Ａとするか、第２のスルー回路３２０Ａとするかを選択するものである。
この第２の切換回路４２０Ａの動作は、前記制御部５００Ａによって制御される。
【００１９】
このように構成されたオートアンテナチューナー１０００Ａの動作について図２を参照しつつ説明する。
なお、以下の説明では、第１のＳＷＲ基準値を１０、第２のＳＷＲ基準値を３、第１の出力値を１０Ｗ、第２の出力値を５０Ｗ、最大出力値を１００Ｗとするが、本発明がこれに限定されるものでないことはいうまでもない。
また、以下の説明において、送信出力上限値とは、ユーザーの操作により任意に設定可能な送信機ＴＲの送信出力の上限値である。
【００２０】
整合動作の開始に伴い、制御部５００Ａは、前記第１の切換回路４１０ＡがＳＷＲ値検出回路１００Ａを、前記第２の切換回路４２０Ａが第２のスルー回路３２０Ａをそれぞれ選択した状態（図２のＳ１参照）でＳＷＲ値検出回路１００ＡでＳＷＲ値を検出させる（図２のＳ２参照）。
【００２１】
ここで、検出されたＳＷＲ値が予め設定された第２のＳＷＲ基準値以下、すなわち３以下であった場合には制御部５００Ａは各部に以下の動作を行わせる。
すなわち、制御部５００Ａは、前記第１の切換回路４１０ＡにはＳＷＲ値検出回路１００Ａをそのまま維持させるとともに、前記第２の切換回路４２０Ａには整合回路２００Ａに切り換えさせる（図２のＳ３参照）。それとともに、制御部５００Ａは、送信機ＴＲに対して送信機ＴＲの送信出力を最大出力値より低い予め設定された第１の出力値（１０Ｗ）まで低減させる第１の送信出力制限信号ＲＥＳ１を送出し（図２のＳ３参照）、その後整合回路２００Ａでの整合動作を行う（図２のＳ４参照）。すなわち、整合動作は送信出力が第１の出力値である１０Ｗの状態で行われることになる。
【００２２】
なお、検出されたＳＷＲ値が第２のＳＷＲ基準値以下であったということは、送信機ＴＲにとって最適化されたアンテナ系、例えば送信機ＴＲに内蔵されたアンテナ系ＡＴが正常に使用されていることになる。
【００２３】
この整合動作が成功した場合には（図２のＳ５参照）、制御部５００Ａは、第１の切換回路４１０Ａには第１のスルー回路３１０Ａに切り換えさせ、第２の切換回路４２０Ａにはそのまま整合回路２００Ａを維持させて整合をセットするとともに、送信機ＴＲに対して送信機ＴＲの送信出力上限値を最大出力値とする最大出力信号ＭＡＸを送出する（図２のＳ６参照）。
その結果、送信機ＴＲは正常なアンテナ系ＡＴを使用した運用が行われる（図２のＳ７参照）。
【００２４】
一方、図２のＳ５に示す整合動作が失敗した場合には、制御部５００Ａは、第１の切換回路４１０ＡにはＳＷＲ値検出回路１００Ａから第１のスルー回路３１０Ａに切り換えさせ、第２の切換回路４２０Ａには整合回路２００Ａから第２のスルー回路３２０Ａに切り換えさせるとともに、送信機ＴＲに対して最大出力信号ＭＡＸを送出する（図２のＳ８参照）。その結果、送信機ＴＲでは、最大出力値の１００Ｗ以下での送信が行われる（図２のＳ９参照）。
なお、ＳＷＲ値＞１０のときに最大出力値の１００Ｗで送信しても、送信機ＴＲの図示しないＡＰＣ（自動出力制御）回路により送信出力が制御されるので，送信機ＴＲが発熱して破損することが防止される。
【００２５】
図２のＳ１で示した状態、すなわち前記第１の切換回路４１０ＡがＳＷＲ値検出回路１００Ａを、前記第２の切換回路４２０Ａが第２のスルー回路３２０Ａをそれぞれ選択した状態でＳＷＲ値検出回路で検出されたＳＷＲ値が前記第２のＳＷＲ基準値を超え（ＳＷＲ値＞３）、かつ前記第２のＳＷＲ基準値より高い予め設定された第１のＳＷＲ基準値以下（ＳＷＲ値≦１０）であった場合（図２のＳ２及びＳ１０参照）、前記制御部５００Ａは、各部に以下の動作を行わせる。
なお、この場合は正常なアンテナ系ＡＴではなく、外付けのアンテナ系ＡＴが接続されていることになる。
【００２６】
制御部５００Ａは、第１の切換回路４１０ＡにはＳＷＲ値検出回路１００Ａをそのまま維持させるとともに、前記第２の切換回路４２０Ａには整合回路２００Ａを選択させ、送信機ＴＲに対して送信機ＴＲの送信出力を最大出力値の１００Ｗより低い予め設定された第１の出力値（１０Ｗ）まで低減させる第１の送信出力制限信号ＲＥＳ１を送出した後（図２のＳ１１参照）に整合回路２００Ａでの整合動作を行う（図２のＳ１２参照）。すなわち、整合動作は送信出力が第１の出力値である１０Ｗの状態で行われることになる。
【００２７】
この整合動作が成功した場合（図２のＳ１３参照）、制御部５００Ａは、整合状態をセットするとともに、第１の切換回路４１０Ａには第１のスルー回路３１０Ａに切り換えさせ、第２の切換回路４２０Ａにはそのまま整合回路２００Ａを維持させるとともに、送信機ＴＲに対して送信機ＴＲの送信出力上限値を前記第１の出力値（１０Ｗ）よりは高くかつ最大出力値（１００Ｗ）よりは低い第２の出力値とする第２の出力制限信号ＲＥＳ２を送出する（図２のＳ１４参照）。
なお、この場合、送信機ＴＲには正常なアンテナ系ＡＴではなく、外付けのアンテナ系ＡＴが接続されていることになり、最大出力値である１００Ｗより低い第２の出力値である５０Ｗ以下での運用が行われることになる（図２のＳ１５参照）。
【００２８】
一方、この図２にＳ１２で示す整合動作が失敗した場合（図２のＳ１３参照）、制御部５００Ａは、第１の切換回路４１０Ａには第１のスルー回路３１０Ａに切り換えさせ、第２の切換回路４２０Ａには第２のスルー回路３２０Ａに切り換えさせるとともに、送信機ＴＲには最大出力信号ＭＡＸを送出する（図２のＳ８参照）。送信機ＴＲは、最大出力値の１００Ｗ以下での送信を行う（図２のＳ９参照）。
【００２９】
制御部５００Ａが、前記第１の切換回路４１０Ａに対してＳＷＲ値検出回路１００Ａを、前記第２の切換回路４２０Ａに対して第２のスルー回路３２０Ａをそれぞれ選択させた状態（図２のＳ１参照）でＳＷＲ値検出回路１００Ａで検出されたＳＷＲ値が、前記第２のＳＷＲ基準値を超え（ＳＷＲ値＞３）、かつ前記第２のＳＷＲ基準値より高い予め設定された第１のＳＷＲ基準値をも超えた（ＳＷＲ値＞１０）場合（図２のＳ２及びＳ１０参照）、制御部５００Ａは、各部に以下の動作を行わせる。
【００３０】
すなわち、制御部５００Ａは、第１の切換回路４１０Ａには第１のスルー回路３１０Ａに切り換えさせ、第２の切換回路４２０Ａには第２のスルー回路３２０Ａを維持させるとともに、送信機ＴＲには前記最大出力信号ＭＡＸを送出する（図２のＳ８参照）。
【００３１】
図２のＳ５、Ｓ１３、Ｓ１０からＳ８、Ｓ９へと移行して、前記最大出力信号ＭＡＸが送出された状態になったとしても、第１のスルー回路３１０Ａ及び第２のスルー回路３２０Ａが選択されているため、オートアンテナチューナー１０００Ａ自身が損傷するおそれはない。また、送信機ＴＲの終段に設けられる図示しない出力制限回路（ＡＰＣ）によって送信出力が結果的には制限されるので、送信機ＴＲが発熱等によって損傷するおそれはない。
【００３２】
上述した本発明の第１の実施の形態に係るオートアンテナチューナー１０００Ａでは、第１の切換回路４１０ＡがＳＷＲ値検出回路１００Ａを、第２の切換回路４２０Ａが第２のスルー回路３２０Ａをそれぞれ選択された状態でＳＷＲ値を検出し、その検出されたＳＷＲ値が第１のＳＷＲ基準値以下か、第１のＳＷＲ基準値と第２のＳＷＲ基準値との間にあるか、第２のＳＷＲ基準値以上かを自動的に判別して各部の動作を自動的に切り換えている。
【００３３】
次に説明する本発明の第２の実施の形態に係るオートアンテナチューナー１０００Ｂでは、外付けのアンテナ系ＡＴを使用する場合、第２のＳＷＲ基準値（ＳＷＲ値３）を超えているであろうか否かは使用者にはわかっているため、手動で切り換えるようにしたものである。
【００３４】
本発明の第２の実施の形態に係るオートアンテナチューナー１０００Ｂは、入力側におけるＳＷＲ値を検出するＳＷＲ値検出回路１００Ｂと、このＳＷＲ値検出回路１００Ｂより後段に設けられ、前記ＳＷＲ値が最小になるように制御される整合回路２００Ｂと、前記ＳＷＲ値検出回路１００Ｂと並列に設けられた第１のスルー回路３１０Ｂと、前記ＳＷＲ値検出回路１００Ｂと第１のスルー回路３１０Ｂとを切り換える第１の切換回路４１０Ｂと、前記整合回路２００Ｂと並列に設けられた第２のスルー回路３２０Ｂと、前記整合回路２００Ｂと第２のスルー回路３２０Ｂとを切り換える第２の切換回路４２０Ｂと、各部を制御する制御部５００Ｂと、整合動作を通常モードと拡張モードとのいずれかを選択することができるモード選択スイッチ７００Ｂとを備えたオートアンテナチューナーであって、前記制御部５００Ｂは、前記第１の切換回路４１０ＢがＳＷＲ値検出回路１００Ｂを、前記第２の切換回路４２０Ｂが第２のスルー回路３２０Ｂをそれぞれ選択した状態でＳＷＲ値検出回路１００ＢでＳＷＲ値を検出させ、検出されたＳＷＲ値に応じて、整合動作完了後の送信機ＴＲの送信出力上限値を変更するように構成されている。
【００３５】
このオートアンテナチューナー１０００Ｂのモード選択スイッチ７００Ｂ以外の構成部分、すなわちＳＷＲ値検出回路１００Ｂ、整合回路２００Ｂ、第１のスルー回路３１０Ｂ、第２のスルー回路３２０Ｂ、第１の切換回路４１０Ｂ、第２の切換回路４２０Ｂ、制御部５００Ｂ、メモリ６００Ｂは、上述した第１の実施の形態に係るオートアンテナチューナー１０００ＡのＳＷＲ値検出回路１００Ａ、整合回路２００Ａ、第１のスルー回路３１０Ａ、第２のスルー回路３２０Ａ、第１の切換回路４１０Ａ、第２の切換回路４２０Ａ、制御部５００Ａ、メモリ６００Ａと同等であるので、その詳細な説明は省略する。
【００３６】
第２の実施の形態に係るオートアンテナチューナー１０００Ｂに特徴的なモード選択スイッチ７００Ｂは、使用者が外付けのアンテナ系等のアンテナ系ＡＴを使用する場合に選択する拡張モードと、正常と思われるアンテナ系ＡＴを使用する場合に選択する通常モードとを選択することができるようになっている。
通常の使用時にはモード選択スイッチ７００Ｂは、通常モードが選択されている。
【００３７】
かかるオートアンテナチューナー１０００Ｂの動作について図４を参照しつつ説明する。
なお、第１のＳＷＲ基準値を１０、第２のＳＷＲ基準値を３、第１の出力値を１０Ｗ、第２の出力値を５０Ｗ、最大出力値を１００Ｗとするのは、第１の実施の形態の場合と同じで、本発明がこれに限定されるものでないことも同様である。
【００３８】
第２の実施の形態に係るオートアンテナチューナー１０００Ｂは、モード選択スイッチ７００Ｂによって拡張モードが選択された場合（図４のＳ１参照）、制御部５００Ｂは各部に以下のような動作を行わせる。
制御部５００Ｂは、第１の切換回路４１０ＢがＳＷＲ値検出回路１００Ｂを、第２の切換回路４２０Ｂが第２のスルー回路３２０Ｂをそれぞれ選択した状態でＳＷＲ値検出回路１００ＢでＳＷＲ値を検出させる（図４のＳ２参照）。
【００３９】
検出されたＳＷＲ値が予め設定された第１のＳＷＲ基準値を超えていた場合、すなわちＳＷＲ値＞１０であった場合（図４のＳ３参照）、第１の切換回路４１０Ｂには第１のスルー回路３１０Ｂに切り換えさせ、第２の切換回路４２０Ｂにはそのまま第２のスルー回路３２０Ｂを維持させるとともに、送信機ＴＲに対して送信機ＴＲの送信出力上限値を最大出力値より低い予め設定された第２の出力値（５０Ｗ）まで低減させる第２の送信出力制限信号ＲＥＳ２を送出する（図４のＳ４参照）。
その結果、送信機ＴＲは第２の出力値を上限に設定して送信を行う（図４のＳ５参照）。
【００４０】
一方、図４のＳ３において、検出されたＳＷＲ値が前記第１のＳＷＲ基準値以下、すなわちＳＷＲ値≦１０であった場合、制御部５００Ｂは、第１の切換回路４１０ＢにはそのままＳＷＲ値検出回路１００Ｂを維持させ、第２の切換回路４２０Ｂには整合回路２００Ｂに切り換えさせるとともに、送信機ＴＲに対して送信出力を前記第２の出力値より低い第１の出力値（１０Ｗ）とする第１の送信出力制限信号ＲＥＳ１を送出した後に整合動作を行う（図４のＳ６及びＳ７参照）。
すなわち、整合動作は送信出力が第１の出力値である１０Ｗの状態で行われる。
【００４１】
制御部５００Ｂは、この整合動作が成功した場合（図４のＳ８参照）には整合状態をセットするとともに、第１の切換回路４１０Ｂは第１のスルー回路３１０Ｂに切り換えさせ、第２の切換回路４２０Ｂはそのまま整合回路２００Ｂを維持させるとともに、送信機ＴＲに対して送信機ＴＲの送信出力上限値を前記第２の出力値（５０Ｗ）とする第２の出力制限信号ＲＥＳ２を送出する（図４のＳ９参照）。
その結果、送信機ＴＲは整合が完了した状態で送信出力の上限値を第２の出力値である５０Ｗに制限して送信を行う（図４のＳ１０参照）。
【００４２】
図４においてＳ７で示す整合動作が失敗した場合（図４のＳ８参照）、制御部５００Ｂは、第１の切換回路４１０Ｂに第１のスルー回路３１０Ｂへ、第２の切換回路４２０Ｂに第２スルー回路３２０Ｂへそれぞれ切り換えさせ、送信機ＴＲに対して送信機ＴＲの送信出力を第２の出力値（５０Ｗ）とする第２の出力制限信号ＲＥＳ２を送出する。
その結果、送信機ＴＲはオートアンテナチューナー１０００Ｂ内の第１のスルー回路３１０Ｂ、第２のスルー回路３２０Ｂを介してアンテナ系ＡＴと直結され、送信出力の上限値を第２の出力値である５０Ｗに制限して送信を行う。
すなわち、本発明の第２の実施の形態に係るオートアンテナチューナー１０００Ｂ、すなわち手動切換タイプの場合には、拡張モードが選択されているときは、整合状態にセットされているか否かに関わらず、送信機ＴＲの送信出力の上限は常に５０Ｗに制限されているため、整合回路２００Ｂに過負荷が加わることはない。
【００４３】
一方、前記モード選択スイッチ７００Ｂで通常モードが選択された場合（図４のＳ１参照）、制御部５００Ｂは、第１の切換回路４１０ＢがＳＷＲ値検出回路１００Ｂを、前記第２の切換回路４２０Ｂが第２のスルー回路３２０Ｂをそれぞれ選択した状態（図４のＳ１１参照）でＳＷＲ値検出回路１００ＢでＳＷＲ値を検出させる（図４のＳ１２参照）。
【００４４】
検出されたＳＷＲ値が第１のＳＷＲ基準値より低い予め設定された第２のＳＷＲ基準値を超えていた場合、すなわちＳＷＲ値＞３であった場合、制御部５００Ｂは第１の切換回路４１０Ｂには第１のスルー回路３１０Ｂに切り換えさせるとともに、第２の切換回路４２０Ｂにはそのまま第２のスルー回路３２０Ｂを維持させるとともに、送信機ＴＲに対して送信出力上限値を最大出力とする最大出力信号ＭＡＸを送出し（図４のＳ１３参照）、送信機ＴＲは送信出力の上限値を最大出力値である１００Ｗに設定して送信を行う（図４のＳ１４参照）。
【００４５】
一方、図４のＳ１２で検出されたＳＷＲ値が前記第２のＳＷＲ基準値以下であった場合、すなわちＳＷＲ値≦３であった場合、制御部５００Ｂは、第１の切換回路４１０ＢにはそのままＳＷＲ値検出回路１００Ｂを維持させるとともに、第２の切換回路４２０Ｂには整合回路２００Ｂに切り換えさせ、送信機ＴＲに対して第１の出力制限信号ＲＥＳ１を送出した（図４のＳ１５）後に整合動作を行う（図４のＳ１６）。すなわち、整合回路２００Ｂは送信出力１０Ｗで整合動作を行うことになる。
【００４６】
この整合動作が成功した場合（図４のＳ１７参照）には、制御部５００Ｂは、整合状態をセットするとともに、第１の切換回路４１０Ｂには第１のスルー回路３１０Ｂに切り換えさせ、第２の切換回路４２０Ｂはそのまま整合回路２００Ｂを維持させ、送信機ＴＲに対して送信出力上限値を最大出力とする最大出力信号ＭＡＸを送出する（図４のＳ１８参照）。送信機ＴＲは、送信出力の上限値を最大出力値である１００Ｗにして送信を行う（図４のＳ１９参照）。
【００４７】
前記整合動作が失敗した場合（図４のＳ１７参照）には、制御部５００Ｂは、第１の切換回路４１０Ｂには第１のスルー回路３１０Ｂに、第２の切換回路４２０Ｂには第２のスルー回路３２０Ｂにそれぞれ切り換えさせ、送信機ＴＲに対して送信出力上限値を最大出力とする最大出力信号ＭＡＸを送出する（図４のＳ１４参照）。送信機ＴＲは、オートアンテナチューナー１０００Ｂ内の第１のスルー回路３１０Ｂ、第２のスルー回路３２０Ｂを介してアンテナ系ＡＴと直結され、送信出力の上限を最大出力値である１００Ｗに設定して送信を行う（図４のＳ１４参照）。
【００４８】
図４のＳ１７からＳ１８、Ｓ１９、Ｓ１３、Ｓ１４へと移行して、前記最大出力信号ＭＡＸが送出された状態になったとしても、第１のスルー回路３１０Ｂ及び第２のスルー回路３２０Ｂが選択されているため、オートアンテナチューナー１０００Ｂ自身が損傷するおそれはない。また、送信機ＴＲの終段に設けられる図示しない出力制限回路（ＡＰＣ）によって送信出力が結果的には制限されるので、送信機ＴＲが発熱等によって損傷するおそれはない。
【符号の説明】
【００４９】
１００Ａ  ＳＷＲ値検出回路
２００Ａ  整合回路
３１０Ａ  第１のスルー回路
３２０Ａ  第２のスルー回路
４１０Ａ  第１の切換回路
４２０Ａ  第２の切換回路
５００Ａ  制御部
１０００Ａオートアンテナチューナー
ＴＲ      送信機
ＡＴ      アンテナ系
【図１】
0006691291.tif 000002
【図２】
0006691291.tif 000003
【図３】
0006691291.tif 000004
【図４】
0006691291.tif 000005